(57)【要約】【課題】屋根構造体に設けられる樋の端部における止水性能を安定して確保して、樋の端部での漏水を抑制する。【解決手段】屋根構造体１は、屋根面材６の水下側の縁部に設けられた、排水溝部１４を有する樋枠１０と、屋根面材６の側縁部に設けられた側枠２０と、側枠２０が取り付けられる側桁５と、樋枠１０の端部及び側桁５に取り付けられて、樋枠１０を側桁５に連結する連結部材５０と、樋枠１０の端部と連結部材５０の間に挟まれて、排水溝部１４の端部を覆う水密材４０を備える。側枠２０は、連結部材５０の上部及び水密材４０の上部を覆い、連結部材５０との間に水密材４０を挟む止水部２２を有する。【選択図】  図４
2020158966.tif 000002
【特許請求の範囲】
【請求項１】
屋根面材の水下側の縁部に設けられた、排水溝部を有する樋枠を備えた屋根構造体であって、
前記屋根面材の側縁部に設けられた側枠と、
前記側枠が取り付けられる側桁と、
前記樋枠の端部及び前記側桁に取り付けられて、前記樋枠を前記側桁に連結する連結部材と、
前記樋枠の端部と前記連結部材の間に挟まれて、前記排水溝部の端部を覆う水密材と、を備え、
前記側枠は、前記連結部材の上部及び前記水密材の上部を覆い、前記連結部材との間に前記水密材を挟む止水部を有する屋根構造体。
【請求項２】
請求項１に記載された屋根構造体において、
前記止水部と前記側桁の間に挟まれた水密材を備えた屋根構造体。
【請求項３】
請求項１又は２に記載された屋根構造体において、
前記連結部材と前記側桁の間に挟まれた水密材を備えた屋根構造体。
【請求項４】
請求項１ないし３のいずれかに記載された屋根構造体において、
前記側桁に連結されて、前記樋枠が取り付けられる水下桁を備えた屋根構造体。
【請求項５】
請求項４に記載された屋根構造体において、
前記側桁は、前記側枠及び前記樋枠の端部の下側に位置する水受け片を有し、
前記水下桁は、前記樋枠の下側に位置する水受け片を有し、
前記側桁の水受け片及び前記水下桁の水受け片から流出する水を屋根構造体の外側に向かってガイドして排水する排水部品を備えた屋根構造体。
【請求項６】
請求項４又は５に記載された屋根構造体において、
前記側桁の端部と前記水下桁の端部が取り付けられる支柱と、
前記側桁と前記水下桁により形成されるコーナー部に設けられて、前記側桁の端部と前記水下桁の端部の間の部分を覆うコーナー部材と、
前記支柱の上端部に装着されて、前記支柱の上端部、前記支柱の上端部と前記側桁の端部の間の部分、及び、前記支柱の上端部と前記水下桁の端部の間の部分を覆うキャップと、
を備えた屋根構造体。
【発明の詳細な説明】
【技術分野】
【０００１】
本発明は、屋根面材の水下側で樋により排水する屋根構造体に関する。
【背景技術】
【０００２】
屋根構造体の止水には、湿式のシーリング材が広く用いられている。屋根構造体の組み立て中に、作業者が手作業でシーリング材を部材同士の接続部に塗布して、接続部がシールされる。そのため、作業者の技量等によっては、シーリング材による止水性能にバラツキが生じることが懸念される。特に、屋根構造体の樋の端部では、シーリング材を塗布する部分が多く、止水性能を安定して確保するのが難しい。また、シーリング材が経年劣化したときには、樋の端部で漏水が発生して、雨水が下側に漏れる虞がある。
【０００３】
これに対し、従来、雨樋の端部に樋キャップを設け、樋キャップと開口方向梁との間の隙間にパッキンを設けた屋外構造体が知られている（特許文献１参照）。
ところが、特許文献１に記載された従来の屋外構造体では、パッキンにより、雨樋の端部と樋キャップの間の部分をシールできず、雨樋の端部と樋キャップの間から漏水することが懸念される。そのため、雨樋の端部における止水性能をより確実に確保する観点から、改良の余地がある。
【先行技術文献】
【特許文献】
【０００４】
【特許文献１】特開２０１０−１９６３２７号公報
【発明の概要】
【発明が解決しようとする課題】
【０００５】
本発明は、前記従来の問題に鑑みなされたもので、その目的は、屋根構造体に設けられる樋の端部における止水性能を安定して確保して、樋の端部での漏水を抑制することである。
【課題を解決するための手段】
【０００６】
本発明は、屋根面材の水下側の縁部に設けられた、排水溝部を有する樋枠を備えた屋根構造体であって、前記屋根面材の側縁部に設けられた側枠と、前記側枠が取り付けられる側桁と、前記樋枠の端部及び前記側桁に取り付けられて、前記樋枠を前記側桁に連結する連結部材と、前記樋枠の端部と前記連結部材の間に挟まれて、前記排水溝部の端部を覆う水密材と、を備え、前記側枠は、前記連結部材の上部及び前記水密材の上部を覆い、前記連結部材との間に前記水密材を挟む止水部を有する屋根構造体である。
【発明の効果】
【０００７】
本発明によれば、屋根構造体に設けられる樋の端部における止水性能を安定して確保して、樋の端部での漏水を抑制することができる。
【図面の簡単な説明】
【０００８】
【図１】本実施形態の屋根構造体を示す斜視図である。
【図２】本実施形態の屋根構造体の要部を示す斜視図である。
【図３】本実施形態の屋根構造体における樋枠の端部側を示す斜視図である。
【図４】本実施形態の屋根構造体の要部を分解して示す斜視図である。
【図５】本実施形態の屋根構造体における樋枠と側枠の接続部を示す斜視図である。
【図６】本実施形態の側枠の止水部による止水構造を示す斜視図である。
【図７】本実施形態の側枠の止水部による止水構造を示す断面図である。
【図８】本実施形態の屋根構造体のコーナー部を示す斜視図である。
【図９】本実施形態の屋根構造体のコーナー部を示す上面図である。
【図１０】本実施形態の屋根構造体の要部を分解して示す斜視図である。
【図１１】本実施形態の屋根構造体の要部を示す斜視図である。
【図１２】本実施形態の排水部品を示す斜視図である。
【図１３】本実施形態の屋根構造体を示す断面図である。
【図１４】他の実施形態の屋根構造体を示す断面図である。
【発明を実施するための形態】
【０００９】
本発明の屋根構造体の一実施形態について、図面を参照して説明する。
本実施形態の屋根構造体は、屋外構造物（例えば、カーポート、テラス、ポーチ、サンルーム）に設置される屋根であり、屋外構造物内の空間を覆う。屋根構造体は、水（雨水）を受けたときに、樋により排水する。
【００１０】
図１は、本実施形態の屋根構造体１を示す斜視図である。
図示のように、屋根構造体１は、上下方向に沿って延びる複数の支柱２と、支柱２に取り付けられた複数の桁３〜５（水下桁３、水上桁４、一対の側桁５）と、桁３〜５に取り付けられた屋根面材６を備えている。ここでは、屋根構造体１及び屋根面材６は、平面視で矩形状に形成されており、屋根構造体１は、４つの支柱２と４つの桁３〜５を備えている。支柱２は、屋根構造体１の四隅で地面に設置され、互いに間隔を開けて配置されている。桁３〜５は、それぞれ２つの支柱２に架け渡されており、桁３〜５の長手方向の端部は、それぞれ支柱２の上部に取り付けられている。４つの桁３〜５は、矩形状に配置されて、支柱２により支持されている。
【００１１】
屋根面材６は、屋根構造体１の屋根面に設けられる屋根部であり、桁３〜５に囲まれた矩形状の領域に配置されている。桁３〜５は、屋根面材６を支持する支持材であり、屋根面材６の４つの縁部に沿って配置されて、屋根面材６の縁部をそれぞれ支持している。屋根面材６は、水勾配Ｋを有しており、水平方向に対して傾斜している。屋根面材６の水勾配Ｋは、水上側（水上桁４側）から水下側（水下桁３側）に向かって下る下り勾配（下り傾斜）であり、屋根面材６は、水上側から水下側に向かって次第に下るように傾斜して設置されている。屋根面材６で雨水を受けたときに、雨水は、屋根面材６の上を水上側から水下側に向かって流れる。
【００１２】
水下桁３は、屋根面材６の水下側に設けられて、屋根面材６の水下側の縁部に沿って配置されている。屋根面材６の水下側の縁部は、水下桁３に連結されて、水下側支持材である水下桁３により支持されている。水上桁４は、屋根面材６の水上側に設けられて、屋根面材６の水上側の縁部に沿って配置されている。屋根面材６の水上側の縁部は、水上桁４に連結されて、水上側支持材である水上桁４により支持されている。
【００１３】
側桁５は、屋根面材６の側方に設けられて、屋根面材６の側方の縁部（側縁部）に沿って配置されている。屋根面材６の側方は、屋根面材６において水勾配Ｋに直交する方向側であり、一対の側桁５は、屋根面材６の両側方に設けられている。屋根面材６の側縁部は、側桁５に連結されて、側方支持材である側桁５により支持されている。水下桁３の端部と側桁５の水下側の端部は、水下側の支柱２に取り付けられて、支柱２を介して互いに連結されている。水上桁４の端部と側桁５の水上側の端部は、水上側の支柱２に取り付けられて、支柱２を介して互いに連結されている。
【００１４】
屋根面材６は、屋根支持部材である複数の垂木６Ａと、屋根ふき材である複数の屋根パネル６Ｂを有している。垂木６Ａは、一対の側桁５の間で、互いに間隔を開けて並列しており、屋根面材６の水勾配Ｋに沿って延びる。屋根パネル６Ｂは、矩形状に形成されたパネル材であり、垂木６Ａにより支持されて、屋根面材６の水勾配Ｋに沿って配置されている。屋根パネル６Ｂの側縁部は、垂木６Ａに取り付けられており、屋根パネル６Ｂは、隣り合う２つの垂木６Ａの間の領域を覆う。垂木６Ａと屋根パネル６Ｂにより、屋根面材６の屋根面が形成されている。
【００１５】
図２は、本実施形態の屋根構造体１の要部を示す斜視図であり、水下桁３の端部と側桁５の端部が支柱２に接続する部分（図１の矢印Ｘ１が指す部分）を拡大して示している。
図示のように、屋根構造体１は、屋根面材６の水下側の縁部に設けられた樋枠１０と、屋根面材６の側縁部に設けられた側枠２０と、屋根構造体１の内側のコーナー部３０に配置されたコーナー部材３１と、矩形状のキャップ３２を備えている。水下桁３、側桁５、樋枠１０、及び、側枠２０は、例えば、押出成形により形成された金属（例えば、アルミニウム合金）製の形材から形成されている。また、水下桁３、側桁５、及び、樋枠１０は、それぞれ中空部を有する中空形状に形成されている。
【００１６】
樋枠１０は、屋根構造体１の樋であり、屋根面材６の水下側の縁部及び水下桁３の長手方向に沿って配置されている。ここでは、樋枠１０は、屋根面材６の前枠であり、水下桁３は、屋根構造体１の前桁である。水下桁３は、側桁５に連結されており、樋枠１０は、水下桁３に取り付けられている。樋枠１０は、水下桁３から屋根面材６の水上側に向かって配置された底面部１１と、底面部１１の一方の縁部から立ち上がる取付壁１２と、底面部１１の他方の縁部から立ち上がる連結壁１３と、上方に向かって開放された凹状の排水溝部１４を有している。取付壁１２は、水下桁３の屋根面材６側の部分に沿って配置されて、水下桁３に取り付けられている。取付壁１２と連結壁１３は、間隔を開けて、互いに対峙している。
【００１７】
屋根面材６の垂木６Ａと屋根パネル６Ｂの水下側の端部は、連結壁１３の上部を覆うように配置されて、連結壁１３に連結されている。屋根面材６の上を流れる雨水は、連結壁１３を越えて、排水溝部１４内に流入する。また、雨水は、排水溝部１４内を流れて、排水溝部１４により排水される。排水溝部１４は、雨水を受ける水受け部（樋溝部）であり、底面部１１、取付壁１２、及び、連結壁１３により、上方に開口した溝状に形成されている。雨水は、底面部１１に形成された排水孔（図示せず）を通って、樋枠１０の排水溝部１４から排水される。
【００１８】
図３は、本実施形態の屋根構造体１における樋枠１０の端部側を示す斜視図であり、水下桁３及び側桁５に取り付けられた樋枠１０を示している。
図示のように、屋根構造体１は、樋枠１０の長手方向の両側の端部に設けられた水密材４０と連結部材５０を備えている。水密材４０は、シート状に形成されたシーラ（水密シート）、例えば、弾性材料製のパッキンである。また、水密材４０は、排水溝部１４用水密材であり、樋枠１０の端部及び排水溝部１４の端部の全体を側桁５側から覆って、樋枠１０の端部に当接する。連結部材５０は、板状に形成された連結板であり、樋枠１０の端部及び排水溝部１４の端部の全体を側桁５側から覆う形状に形成されている。
【００１９】
連結部材５０は、水密材４０を樋枠１０の端部に固定する固定部材であり、水密材４０の全体を側桁５側から覆う。また、連結部材５０は、樋枠１０の端部及び水密材４０よりも大きく形成されており、樋枠１０の端部及び水密材４０からはみ出す取付片５１を有している。水密材４０が樋枠１０の端部と連結部材５０の間に配置された状態で、取付部材であるビス（図示せず）が、連結部材５０及び水密材４０を側桁５側から貫通して、樋枠１０に取り付けられる。連結部材５０及び水密材４０は、ビスにより、樋枠１０の端部に取り付けられる。また、ビス（図示せず）が、連結部材５０の取付片５１を樋枠１０側から貫通して、側桁５に取り付けられる。
【００２０】
連結部材５０は、樋枠１０の端部及び側桁５に取り付けられて、樋枠１０の端部を側桁５に連結する。水密材４０は、樋枠１０の端部と連結部材５０の間に挟まれて、連結部材５０により樋枠１０の端部に固定されている。その状態で、連結部材５０は、水密材４０の側桁５側に位置して、水密材４０と側桁５の間に配置されている。また、水密材４０は、連結部材５０の樋枠１０側に位置し、樋枠１０の端部と連結部材５０に密着して、排水溝部１４の長手方向の端部を覆う。排水溝部１４の端部は、水密材４０及び連結部材５０により塞がれる。水密材４０は、連結部材５０と樋枠１０の間の部分をシールするとともに、排水溝部１４の端部をシールする。
【００２１】
図４は、本実施形態の屋根構造体１の要部を分解して示す斜視図であり、図５は、本実施形態の屋根構造体１における樋枠１０と側枠２０の接続部を示す斜視図である。
図示のように、屋根面材６の側枠２０は、屋根面材６の水勾配Ｋに対応して傾斜して延び、屋根面材６の側縁部及び側桁５の長手方向に沿って配置されている。また、側枠２０は、側枠２０の本体である板状の枠部２１と、樋枠１０の端部を止水する止水部２２を有し、取付部材であるビス２３、２４により、側桁５に取り付けられている。ビス２３、２４は、側枠２０を貫通して、側桁５に取り付けられている。側枠２０の枠部２１は、樋枠１０から屋根面材６の水上側に向かって延び、側桁５の屋根面材６側の部分に沿って配置されて、ビス２３により、側桁５に取り付けられている。屋根面材６の垂木６Ａは、側枠２０の枠部２１に沿って配置されて、枠部２１に連結されている。
【００２２】
側枠２０の止水部２２は、側枠２０の樋枠１０側の端部に形成された突出部であり、枠部２１から屋根面材６の水下側（水下桁３側）に向かって突出している。止水部２２の上下方向の幅は、枠部２１の上下方向の幅よりも狭く、止水部２２は、枠部２１の上側部分に連続して形成されている。側枠２０の止水部２２は、側桁５の屋根面材６側の部分に沿って配置されて、ビス２４により、側桁５に取り付けられている（図５参照）。また、止水部２２は、樋枠１０の端部及び排水溝部１４の端部に設けられている。樋枠１０の排水溝部１４の箇所で、止水部２２は、側桁５から水密材４０よりも排水溝部１４側の位置まで設けられて、排水溝部１４の開口部に配置されている。
【００２３】
図６は、本実施形態の側枠２０の止水部２２による止水構造を示す斜視図であり、水下桁３、樋枠１０、及び、支柱２を省略して、図５とは異なる方向からみた屋根構造体１を示している。図７は、本実施形態の側枠２０の止水部２２による止水構造を示す断面図であり、図６の矢印Ｘ２方向からみた止水構造を示している。
図示のように、側枠２０の止水部２２は、側桁５と樋枠１０の排水溝部１４の間で、連結部材５０の上部（上縁部）及び水密材４０の上部（上縁部）を覆い、連結部材５０との間に水密材４０を挟む。止水部２２は、水密材４０の排水溝部１４側の面に密着し、水密材４０の排水溝部１４側で、水密材４０の上部に沿って配置されている。止水部２２は、ビス２４による側桁５への取り付けに伴い、水密材４０に押し付けられる。
【００２４】
止水部２２は、板状の取付部２５と、取付部２５から突出する覆い部２６を有している（図７参照）。止水部２２の取付部２５は、側桁５の屋根面材６側の部分に沿って配置されて、ビス２４により、側桁５に取り付けられている。止水部２２の覆い部２６は、屈曲形状に形成されており、取付部２５の下端部から張り出す張出部２７と、張出部２７の先端部から垂下する当接部２８を有している。覆い部２６の張出部２７は、連結部材５０と水密材４０の上側に配置されている。覆い部２６の当接部２８は、水密材４０よりも排水溝部１４側の位置に配置されて、水密材４０の上部に当接している。
【００２５】
止水部２２の覆い部２６は、張出部２７により、連結部材５０の上部と水密材４０の上部を上側から覆い、当接部２８により、連結部材５０の上部と水密材４０の上部を排水溝部１４側から覆う。連結部材５０の上部と水密材４０の上部は、止水部２２の覆い部２６（当接部２８）と側桁５の間に挟まれる。また、水密材４０の上部は、連結部材５０と止水部２２の覆い部２６の間に挟まれて、連結部材５０と止水部２２の覆い部２６に密着し、連結部材５０と止水部２２の覆い部２６の間の部分をシールする。
【００２６】
屋根構造体１は、止水部２２と側桁５の間に挟まれた水密材４１を備えている。水密材４１は、止水部２２用水密材であり、止水部２２と側桁５に密着して、止水部２２と側桁５の間の部分をシールする。また、水密材４１は、側枠２０用水密材であり、側枠２０の長手方向の全体にわたって側枠２０と側桁５の間に挟まれる。水密材４１は、側枠２０の止水部２２及び枠部２１に沿って延び、側枠２０と側桁５に密着して、側枠２０と側桁５の間の部分をシールする。
【００２７】
側桁５の端部と水下桁３の端部は、中空状の支柱２に取り付けられており（図４参照）、支柱２により互いに連結された状態で、支柱２に支持されている。コーナー部３０は、側桁５の端部と水下桁３の端部が支柱２に接続する部分の内側コーナー部であり、互いに連結された側桁５と水下桁３により、側桁５と水下桁３の屋根面材６側に形成されている。支柱２の上端部２Ａ、側桁５の上面部５Ａ、及び、水下桁３の上面部３Ａは、上下方向の位置（高さ）を合わせて面一に配置されている。コーナー部材３１は、断面Ｌ字形状に形成されたコーナー止水部材であり、コーナー部３０に取り付けられる。キャップ３２は、板状の止水キャップであり、支柱２の上端部２Ａに取り付けられる。
【００２８】
樋枠１０と側枠２０の取り付け後に、コーナー部材３１の取り付けとキャップ３２の取り付けを順に行う（図２参照）。コーナー部材３１は、側桁５と水下桁３により形成されるコーナー部３０に設けられて、取付部材であるビス（図示せず）により、側桁５と水下桁３に取り付けられる。コーナー部３０において、コーナー部材３１は、側桁５の端部と水下桁３の端部の間の部分を覆う。水密材（図示せず）が、コーナー部材３１と側桁５の間、及び、コーナー部材３１と水下桁３の間に挟まれて、コーナー部３０をシールする。
【００２９】
図８は、本実施形態の屋根構造体１のコーナー部３０を示す斜視図であり、コーナー部３０に設けたコーナー部材３１を鎖線で示している。図９は、本実施形態の屋根構造体１のコーナー部３０を示す上面図であり、図８の矢印Ｘ３方向からみたコーナー部３０を示している。
図示のように、側桁５の端部は、支柱２の取付面２Ｔに取り付けられ、Ｌ字状のコーナー部材３１は、側桁５の取付面５Ｔと水下桁３の取付面３Ｔに取り付けられる。支柱２の取付面２Ｔは、平面状に形成されて、側桁５の端部と対向している。側桁５の取付面５Ｔは、側桁５の屋根面材６側の部分に平面状に形成され、水下桁３の取付面３Ｔは、水下桁３の屋根面材６側の部分に平面状に形成されている。
【００３０】
水下桁３側に位置する支柱２の取付面２Ｔの縁部は、側桁５の端部の外側に位置しており、側桁５の端部から露出して、側桁５の取付面５Ｔと水下桁３の取付面３Ｔの間に位置している。コーナー部材３１は、水下桁３の取付面３Ｔから支柱２の取付面２Ｔの縁部まで配置され、取付面２Ｔの縁部で屈曲して、側桁５の取付面５Ｔに配置される。支柱２の取付面２Ｔと水下桁３の取付面３Ｔは、互いの間に段差を形成することなく、面一に配置されている。そのため、コーナー部材３１をコーナー部３０に容易に配置できるとともに、コーナー部材３１によりコーナー部３０を容易に止水することができる。また、単純な形状のコーナー部材３１により、コーナー部３０を止水することができる。
【００３１】
キャップ３２（図２、図４参照）は、支柱２の上端部２Ａに載せられて、取付部材であるビス（図示せず）により、支柱２の上端部２Ａに取り付けられる。これにより、キャップ３２は、支柱２の上端部２Ａに装着されて、支柱２の上端部２Ａの開口部（小口）を塞ぐ。また、キャップ３２は、支柱２の上端部２Ａから側桁５の上面部５Ａまで配置されるとともに、支柱２の上端部２Ａから水下桁３の上面部３Ａまで配置される。
【００３２】
支柱２、側桁５の端部、及び、水下桁３の端部の上側において、キャップ３２は、支柱２の上端部２Ａ、支柱２の上端部２Ａと側桁５の端部の間の部分、及び、支柱２の上端部２Ａと水下桁３の端部の間の部分を全体にわたって覆う。水密材（図示せず）が、キャップ３２と支柱２の上端部２Ａの間、キャップ３２と側桁５の端部の間、及び、キャップ３２と水下桁３の端部の間に挟まれて、支柱２の上端部２Ａ、支柱２の上端部２Ａと側桁５の端部の間の部分、及び、支柱２の上端部２Ａと水下桁３の端部の間の部分をシールする。
【００３３】
図１０は、本実施形態の屋根構造体１の要部を分解して示す斜視図であり、図２の下側からみた屋根構造体１を示している。図１１は、本実施形態の屋根構造体１の要部を示す斜視図であり、図１０と同様に、図２の下側からみた屋根構造体１を示している。
図示のように、水下桁３は、下カバー３Ｂと、樋枠１０の下側に位置する水受け片３Ｃを有している。下カバー３Ｂは、水下桁３の下面部であり、水下桁３の下側部分に装着されている。水受け片３Ｃは、下カバー３Ｂに形成されたヒレ状の水受け部であり、樋枠１０の下側位置まで突出して、水下桁３の長手方向に延びる。水受け片３Ｃの端部は、水下桁３の端部に位置する。樋枠１０の下側まで水が浸入したときに、水受け片３Ｃは、水を受けて、水下桁３からの水の滴下を抑制する。
【００３４】
側桁５は、下カバー５Ｂと、樋枠１０の端部及び側枠２０の下側に位置する水受け片５Ｃを有している。下カバー５Ｂは、側桁５の下面部であり、側桁５の下側部分に装着されている。水受け片５Ｃは、下カバー５Ｂに形成されたヒレ状の水受け部であり、樋枠１０の端部及び側枠２０の下側位置まで突出して、側桁５の長手方向に延びる。水受け片５Ｃの端部は、側桁５の端部に位置する。樋枠１０の端部及び側枠２０の下側まで水が浸入したときに、水受け片５Ｃは、水を受けて、側桁５からの水の滴下を抑制する。
【００３５】
屋根構造体１は、水を排水する排水部品６０を備えている。排水部品６０は、Ｌ字形状に形成されており、水下桁３の端部及び側桁５の端部の下側に配置されている。また、排水部品６０は、断面矩形状の支柱２の外面に沿って配置されて、例えば、接着剤により、支柱２に取り付けられている。水下桁３の端部の下側で、排水部品６０は、水受け片３Ｃの端部の下側から屋根構造体１の外側に向かって延び、水下桁３の下面部（下カバー３Ｂ）に沿って、水下桁３の幅方向の全体にわたって配置されている。側桁５の端部の下側で、排水部品６０は、水受け片５Ｃの端部の下側から屋根構造体１の外側に向かって延び、側桁５の下面部（下カバー５Ｂ）に沿って、側桁５の幅方向の全体にわたって配置されている。
【００３６】
図１２は、本実施形態の排水部品６０を示す斜視図である。図１２Ａは、図１１と同様に、下側からみた排水部品６０を示し、図１２Ｂは、上側からみた排水部品６０を示している。
図示のように、排水部品６０は、上方に向かって開放された凹状のガイド溝６１と、ガイド溝６１の両端部の底部に開口する２つの排水孔６２を有している。水は、ガイド溝６１内で排水孔６２に向かってガイドされて、排水孔６２を通って、排水部品６０のガイド溝６１から排水される。排水部品６０及びガイド溝６１の屈曲部６３は、水下桁３の水受け片３Ｃの端部と側桁５の水受け片５Ｃの端部が接続する部分の下側に配置される（図１１参照）。水は、水受け片３Ｃ、５Ｃの端部から流出して、排水部品６０のガイド溝６１により受けられる。
【００３７】
図１３は、本実施形態の屋根構造体１を示す断面図であり、図１１の矢印Ｘ４方向からみた屋根構造体１を示している。
図示のように、水（雨水）は、樋枠１０の下側で、水下桁３の屋根面材６側の部分を下側に向かって流れて（矢印Ｒ１参照）、水下桁３の水受け片３Ｃにより受け止められる。また、水は、樋枠１０の端部及び側枠２０の下側で、側桁５の屋根面材６側の部分を下側に向かって流れて（矢印Ｒ２参照）、側桁５の水受け片５Ｃにより受け止められる。
【００３８】
水は、水受け片３Ｃ、５Ｃの上を排水部品６０に向かって流れて（矢印Ｒ３参照）、水受け片３Ｃ、５Ｃの端部から流出する。排水部品６０は、ガイド溝６１により、水受け片３Ｃ、５Ｃから流出する水を受けて、排水孔６２に向かって水をガイドする。水は、排水孔６２まで到達したときに、排水孔６２から排水される。このように、排水部品６０は、水受け片３Ｃ、５Ｃから流出する水を屋根構造体１の外側に向かってガイドして排水する（矢印Ｒ４参照）。
【００３９】
以上説明した屋根構造体１では、側枠２０の止水部２２による止水構造により、樋枠１０の端部における止水性能を安定して確保して、樋枠１０の端部での漏水を抑制することができる。また、作業者が手作業でシーリング材を塗布しなくても、樋枠１０の端部における止水性能を容易に確保することができる。そのため、止水性能が作業者の技量に左右されにくく、止水性能のバラツキを低減することができる。
【００４０】
側枠２０の止水部２２と側桁５の間の水密材４１により、止水部２２と側桁５の間の部分をシールして、止水部２２と側桁５の間における止水性能を向上することができる。樋枠１０を水下桁３に取り付けることで、樋枠１０を確実に支持して、樋枠１０の排水溝部１４により安定して排水することができる。
【００４１】
屋根面材６の下側まで水が浸入したときでも、水受け片３Ｃ、５Ｃで水を受けて、屋根面材６の下側への水の滴下を抑制することができる。また、排水部品６０により排水することで、屋根面材６の下側への水の滴下をより抑制することができる。排水部品６０により屋根構造体１の外側に向かって排水しており、屋根面材６の下側からみたときに、排水された水を目立たなくすることができる。
【００４２】
コーナー部３０に設けたコーナー部材３１により、側桁５の端部と水下桁３の端部の間の部分における止水性能を向上することができる。また、支柱２の上端部２Ａに装着したキャップ３２により、支柱２の上端部２Ａ、支柱２の上端部２Ａと側桁５の端部の間の部分、及び、支柱２の上端部２Ａと水下桁３の端部の間の部分における止水性能を向上することができる。
【００４３】
図１４は、他の実施形態の屋根構造体１を示す断面図であり、図７と同様に、図６の矢印Ｘ２方向からみた断面を示している。
図示のように、屋根構造体１は、連結部材５０と側桁５の間に挟まれた水密材４２を備えている。水密材４２は、連結部材５０用水密材であり、連結部材５０と側桁５に密着して、連結部材５０と側桁５の間の部分をシールする。水密材４２により、連結部材５０と側桁５の間における止水性能を向上することができる。
【００４４】
なお、樋枠１０は、水下桁３に直接に取り付けてもよく、水下桁３に他の部材（例えば、取り付け用のアタッチメント）を介して間接に取り付けてもよい。これに対し、樋枠１０を水下桁３に取り付けないようにしてもよく、例えば、樋枠１０を側桁５で支持してもよい。樋枠１０を一対の側桁５に架け渡して、側枠２０の止水部２２による止水構造を樋枠１０の両側の端部に設けてもよい。樋枠１０の一方の端部側のみに側桁５を設けて、樋枠１０の他方の端部側に側桁５以外の部材（例えば、他の樋枠、建物の外壁）を設けるようにしてもよい。この場合には、側枠２０の止水部２２による止水構造を樋枠１０の一方の端部のみに設ける。コーナー部３０における止水性能を更に向上するため、樋枠１０と側枠２０の取り付け前に、コーナー部３０に水密材を貼り付けてもよい。
【００４５】
本発明は、種々の屋根構造体、例えば、独立した屋根構造体、建物に併設された屋根構造体、支柱のみにより支持された屋根構造体、支柱と建物により支持された屋根構造体、建物のみにより支持された屋根構造体、又は、建物から張り出した屋根構造体に適用することができる。
【００４６】
以上のとおり、屋根構造体は、屋根面材の水下側の縁部に設けられた、排水溝部を有する樋枠を備えた屋根構造体であって、
前記屋根面材の側縁部に設けられた側枠と、
前記側枠が取り付けられる側桁と、
前記樋枠の端部及び前記側桁に取り付けられて、前記樋枠を前記側桁に連結する連結部材と、
前記樋枠の端部と前記連結部材の間に挟まれて、前記排水溝部の端部を覆う水密材と、を備え、
前記側枠は、前記連結部材の上部及び前記水密材の上部を覆い、前記連結部材との間に前記水密材を挟む止水部を有する屋根構造体である。
この屋根構造体によれば、屋根構造体に設けられる樋の端部における止水性能を安定して確保して、樋の端部での漏水を抑制することができる。
【００４７】
屋根構造体は、前記止水部と前記側桁の間に挟まれた水密材を備える。
水密材により、止水部と側桁の間の部分をシールして、止水部と側桁の間における止水性能を向上することができる。
【００４８】
屋根構造体は、前記連結部材と前記側桁の間に挟まれた水密材を備える。
水密材により、連結部材と側桁の間の部分をシールして、連結部材と側桁の間における止水性能を向上することができる。
【００４９】
屋根構造体は、前記側桁に連結されて、前記樋枠が取り付けられる水下桁を備える。
樋枠を水下桁により確実に支持して、樋枠の排水溝部により安定して排水することができる。
【００５０】
前記側桁は、前記側枠及び前記樋枠の端部の下側に位置する水受け片を有し、前記水下桁は、前記樋枠の下側に位置する水受け片を有する。屋根構造体は、前記側桁の水受け片及び前記水下桁の水受け片から流出する水を屋根構造体の外側に向かってガイドして排水する排水部品を備える。
屋根面材の下側まで水が浸入したときでも、水受け片で水を受けて、屋根面材の下側への水の滴下を抑制することができる。また、排水部品により排水することで、屋根面材の下側への水の滴下をより抑制できるとともに、屋根面材の下側からみたときに、排水された水を目立たなくすることができる。
【００５１】
屋根構造体は、
前記側桁の端部と前記水下桁の端部が取り付けられる支柱と、
前記側桁と前記水下桁により形成されるコーナー部に設けられて、前記側桁の端部と前記水下桁の端部の間の部分を覆うコーナー部材と、
前記支柱の上端部に装着されて、前記支柱の上端部、前記支柱の上端部と前記側桁の端部の間の部分、及び、前記支柱の上端部と前記水下桁の端部の間の部分を覆うキャップと、を備える。
コーナー部材により、側桁の端部と水下桁の端部の間の部分における止水性能を向上することができる。また、キャップにより、支柱の上端部、支柱の上端部と側桁の端部の間の部分、及び、支柱の上端部と水下桁の端部の間の部分における止水性能を向上することができる。
【符号の説明】
【００５２】
１・・・屋根構造体、２・・・支柱、２Ａ・・・上端部、２Ｔ・・・取付面、３・・・水下桁、３Ａ・・・上面部、３Ｂ・・・下カバー、３Ｃ・・・水受け片、３Ｔ・・・取付面、４・・・水上桁、５・・・側桁、５Ａ・・・上面部、５Ｂ・・・下カバー、５Ｃ・・・水受け片、５Ｔ・・・取付面、６・・・屋根面材、６Ａ・・・垂木、６Ｂ・・・屋根パネル、１０・・・樋枠、１１・・・底面部、１２・・・取付壁、１３・・・連結壁、１４・・・排水溝部、２０・・・側枠、２１・・・枠部、２２・・・止水部、２３・・・ビス、２４・・・ビス、２５・・・取付部、２６・・・覆い部、２７・・・張出部、２８・・・当接部、３０・・・コーナー部、３１・・・コーナー部材、３２・・・キャップ、４０・・・水密材、４１・・・水密材、４２・・・水密材、５０・・・連結部材、５１・・・取付片、６０・・・排水部品、６１・・・ガイド溝、６２・・・排水孔、６３・・・屈曲部、Ｋ・・・水勾配。
【図１】
2020158966.tif 000003
【図２】
2020158966.tif 000004
【図３】
2020158966.tif 000005
【図４】
2020158966.tif 000006
【図５】
2020158966.tif 000007
【図６】
2020158966.tif 000008
【図７】
2020158966.tif 000009
【図８】
2020158966.tif 000010
【図９】
2020158966.tif 000011
【図１０】
2020158966.tif 000012
【図１１】
2020158966.tif 000013
【図１２】
2020158966.tif 000014
【図１３】
2020158966.tif 000015
【図１４】
2020158966.tif 000016